(57)【要約】【課題】長期間にわたり開閉制御弁の正確な作動状態が得られると共に冷気取入口及び冷気戻り口の清潔な状態が確保できるようにする。【解決手段】少なくとも仕切壁１１により上下に独立して仕切られた上方の冷凍室５及び下方の野菜室７と、冷却器２７において熱交換された冷気が前記冷凍室５内へ吹き出される吹出口３５と、前記野菜室７の天井面となる仕切壁１１の下面に沿って設けられダクト面４３ａが冷却面となる冷気通路ダクト４３と、その冷気通路ダクト４３の後方となる庫内奥側に設けられ前記冷凍室５内の庫内冷気が取入れられる冷気取入口４７及び前記冷却器２７へ戻る冷気戻り口４９と、前記冷気取入口４７及び冷気戻り口４９のいずれか一方に設けられた開閉可能な開閉制御弁５３を備えた構造とする。【選択図】図１
2008025909.tif 000002
【特許請求の範囲】
【請求項１】
少なくとも仕切壁により上下に独立して仕切られた上方の冷凍室及び下方の野菜室と、冷却器において熱交換された冷気が前記冷凍室内へ吹き出される吹出口と、前記野菜室の天井面となる仕切壁の下面に沿って設けられ下面が冷却面となる冷気通路ダクトと、その冷気通路ダクトの後方となる庫内奥側に設けられ前記冷凍室内の庫内冷気が取入れられる冷気取入口及び前記冷却器へ戻る冷気戻り口と、前記冷気取入口及び冷気戻り口のいずれか一方に設けられた開閉可能な開閉制御弁とを有していることを特徴とする冷凍冷蔵庫。
【請求項２】
少なくとも仕切壁により上下に独立して仕切られた上方の冷凍室及び下方の野菜室と、冷却器において熱交換された冷気が前記冷凍室内へ吹き出される吹出口と、前記野菜室の天井面となる仕切壁の下面に沿って設けられ下面が冷却面となる冷気通路ダクトと、その冷気通路ダクトの後方となる庫内奥側に並列配置され前記冷凍室内の庫内冷気が取入れられる冷気取入口及び前記冷却器へ戻る冷気戻り口と、前記冷気取入口及び冷気戻り口にそれぞれ設けられた開閉可能な開閉制御弁とを有していることを特徴とする冷凍冷蔵庫。
【請求項３】
冷却面となる仕切壁により上下に独立して仕切られ冷気が送り込まれる上方の冷凍室と、前記仕切壁からの輻射熱で庫内が冷却される下方の野菜室と、前記仕切壁に設けられ仕切壁からの輻射熱を制御する輻射熱制御手段とを備え、
前記輻射熱制御手段は、野菜室の天井面となる仕切壁の下面に沿って設けられたヒータであることを特徴とする冷凍冷蔵庫。
【発明の詳細な説明】
【技術分野】
【０００１】
本発明は、マイナスの冷凍温度帯となる冷凍室の下に野菜室とを備えた冷凍冷蔵庫に関する。
【背景技術】
【０００２】
一般に冷蔵庫の野菜室は、冷蔵室又は冷凍室内を通過した冷気が庫内へ送り込まれるようになっている。
【０００３】
この場合、野菜室は庫内に直接冷気が送り込まれると庫内の乾燥化が進むところから、それを防ぐために冷却パネルによる輻射熱で野菜室内を冷却する手段が公知となっている。
【０００４】
輻射熱による冷却手段の概要は、冷凍温度帯の冷凍室の下方に野菜室が配置される一方、野菜室の天井部に野菜室冷却用通路が設けられ、野菜室冷却用通路のパネルが冷却面となっている。
【０００５】
野菜室冷却用通路には冷凍室内のマイナスの冷気が流れることで、冷却用通路を構成するパネル面からの輻射熱によって下方の野菜室内の冷却が行なわれる手段となっている。
【特許文献１】特開２００４−１９８０６１号公報
【発明の開示】
【発明が解決しようとする課題】
【０００６】
野菜室の冷却を図る冷却用通路は、一方に冷気の流れをコントロールするダンパー（開閉弁）が設けられ、ダンパーにより冷気の流れをコントロールすることで、野菜室内の庫内温度の調節が行なわれるようになっている。
【０００７】
冷気の流れをコントロールするダンパーは、食品等の出し入れ側となる前方に設けられるところから、時としてダンパーに触れる可能性があり、ダンパーの開度量に悪影響を与える恐れがあることと、食品くず等が落下し易くなる等の不具合をかかえる。
【０００８】
そこで、本発明にあっては、ダンパーとなる開閉制御弁に触れる恐れはなく食品くず等が落下しにくい冷凍冷蔵庫を提供することを目的としている。
【課題を解決するための手段】
【０００９】
前記目的を達成するために、本発明の第１は、少なくとも仕切壁により上下に独立して仕切られた上方の冷凍室及び下方の野菜室と、冷却器において熱交換された冷気が前記冷凍室内へ吹き出される吹出口と、前記野菜室の天井面となる仕切壁の下面に沿って設けられダクト面が冷却面となる冷気通路ダクトと、その冷気通路ダクトの後方となる庫内奥側に設けられ前記冷凍室内の庫内冷気が取入れられる冷気取入口及び前記冷却器へ戻る冷気戻り口と、前記冷気取入口及び冷気戻り口のいずれか一方に設けられた開閉可能な開閉制御弁とを有していることを特徴とする。
【００１０】
第２は、少なくとも仕切壁により上下に独立して仕切られた上方の冷凍室及び下方の野菜室と、冷却器において熱交換された冷気が前記冷凍室内へ吹き出される吹出口と、前記野菜室の天井面となる仕切壁の下面に沿って設けられダクト面が冷却面となる冷気通路ダクトと、その冷気通路ダクトの後方となる庫内奥側に並列配置され前記冷凍室内の庫内冷気が取入れられる冷気取入口及び前記冷却器へ戻る冷気戻り口と、前記冷気取入口及び冷気戻り口にそれぞれ設けられた開閉可能な開閉制御弁とを有していることを特徴とする。
【００１１】
第３は、冷却面となる仕切壁により上下に独立して仕切られ冷気が送り込まれる上方の冷凍室と、前記仕切壁からの輻射熱で庫内が冷却される下方の野菜室と、前記仕切壁に設けられ仕切壁からの輻射熱を制御する輻射熱制御手段とを備え、
前記輻射熱制御手段は、野菜室の天井面となる仕切壁の下面に沿って設けられたヒータであることを特徴とする。
【発明の効果】
【００１２】
本発明の第１によれば、機体後部に集約されるメインコントロールパネル部等の近くに開閉制御弁を設けることができるため、開閉制御弁への配線を長く引き回すことなく効率のよい配線を行なうことができる。
【００１３】
また、庫内奥に設けられた開閉制御弁には簡単に触れることがなくなり、長期間にわたり安定した正確な開閉作動が得られる。
【００１４】
また、食品くず等の落下がしずらくなり、清潔な状態を保持できる。
【００１５】
また、第２によれば、第１の効果に加えて冷気取入口と冷気戻り口の並列配置によって各口をコンパクトにまとめることができる。しかも、１箇所の駆動部によって左右の開閉制御弁の開閉制御を効率よく行なうことが可能となる。
【００１６】
また、第３によれば、仕切壁にヒータを設けた簡単な構造にできると共に、ヒータ温度をコントロールすることで野菜室の庫内温度を容易に目標設定値にすることができる。
【発明を実施するための最良の形態】
【００１７】
以下、図１乃至図４の図面を参照しながら本発明の第１の実施形態について具体的に説明する。
【００１８】
図１は本発明にかかる冷凍冷蔵庫全体の概要切断側面図を示している。
【００１９】
冷凍冷蔵庫１は上方から冷蔵室３、冷凍室５、野菜室７の順に配置され、各仕切壁９、１１により独立した庫内に作られている。
【００２０】
冷蔵室３は全面の開閉扉１３を開けることで食品等の出し入れが可能となっている。庫内奥には、冷蔵用の第１の冷却器１５とファン１７がそれぞれ設けられ、第１の冷却器１５において熱交換された冷気はファン１７によって吹出口１９から冷蔵室３の庫内へ吹き出された後、戻り口２３から第１の冷却器１５へ再び戻る循環を繰返すようになっている。
【００２１】
冷凍室５は、冷凍する食品によって使いわける第１冷凍室５ａと第２冷凍室５ｂとを有し、扉２３、２５を手前へ引き出すことで庫内容器２３ａ、２５ａも一緒に引き出される引出タイプとなっていて、庫内容器２３ａ，２５ａを引き出した時、食品等の出し入れが可能となっている。
【００２２】
冷凍室５の庫内奥には冷凍用の第２の冷却器２７とファン２９がそれぞれ設けられている。第２の冷却器２７は前記した第１の冷却器１５と機械室３１に設けられた圧縮機３３及び凝縮器及び絞り装置（いずれも図示していない）とで冷凍サイクルが構成され、第２の冷却器２７において熱交換された冷気はファン２９によって各吹出口３５から第１、第２冷凍室５ａ、５ｂへ吹き出される。これにより各庫内はマイナスの冷凍温度帯になると共に庫内を通過した後、戻り口３７から再び第２の冷却器２７へ戻る循環を繰返すようになっている。
【００２３】
野菜室７は上方の仕切壁１１により独立した庫内に形成され、扉３９を手前へ引き出すことで庫内容器３９ａも一緒に引き出される引き出しタイプとなっていて野菜等の出し入れが可能となっている。
【００２４】
野菜室７を始め、冷凍室５、冷蔵室３の温度制御及び各種制御機器は、本体後部に集約して設けられたメインコントロールパネル部４１から延長される信号ケーブルによって制御管理されるようになっている。
【００２５】
野菜室７の天井面となる仕切壁１１の下面には冷気通路ダクト４３が設けられている。
【００２６】
冷気通路ダクト４３は、熱伝導性の材質、例えば、ステンレスや合成樹脂を薄肉にして成形されていて、図２に示す如くダクトカバー４５により断面矩形のダクト通路が形成されると共にダクト通路を形成するダクトの下面４３ａが冷却面となる構造となっている。
【００２７】
冷気通路ダクト４３には、後方となる庫内奥側に冷気取入口４７と冷気戻り口４９が並列に設けられ、中切り５１によって冷気取入口４７からの冷気はＵターンして冷気戻り口４９に帰る長い通路が確保される形状となっている。
【００２８】
冷気取入口４７はダクトカバー４５に設けられた開口部４６を介して上方の冷凍室５の庫内と連通し合うと共に図３に示すように開閉制御弁５３を備えている。
【００２９】
開閉制御弁５３は、駆動部５５によって全閉（二点鎖線）から全開（実線）まで開閉可能に制御されることで、冷凍温度帯の冷気の取入れ及び遮断が可能となっている。この場合、開閉制御弁５３は本体後部のメインコントロールパネル部４１から近い位置となるためケーブル配線が短くて済むと共に効率のよい配線が可能となっている。
【００３０】
冷気戻り口４９は、図４に示す如く前記第２の冷却器２７が設けられた冷気循環通路の戻り口３７と連通し、冷気通路ダクト４３内を流れた冷気は冷気戻り口４９を介して再び第２の冷却器２７へ戻るようになっている。
【００３１】
この場合、冷気戻り口４９にも開閉制御弁５７を設けるようにしてもよい。
【００３２】
この実施形態の場合には、開閉制御弁５７は冷気取入口４７の開閉制御弁５３と並列配置となるため図２で示すように中央部位に配置した１つの駆動部５５によって各制御弁５３、５７の開閉制御が可能となる。また、冷気取入口４７と一緒に冷気戻り口４９を全閉とすることで、冷気戻り口４９から逆流する戻り冷気を阻止することが可能となり、戻り冷気の影響を受けることなく輻射熱のコントロールを的確に行なえるようになる。
【００３３】
このように構成された冷凍冷蔵庫によれば、本体後部に集約されたメインコントロールパネル部４１の近くに開閉制御弁５３、５７を設けることができるため、開閉制御弁５３、５７への配線を長く引き回すことなく効率のよい配線を行なうことができる。
【００３４】
また、庫内奥に設けられた開閉制御弁５３、５７には簡単に触れることがなくなり、長期間にわたり安定した正確な開閉作動が得られる。しかも、庫内奥となる後部一箇所に集約配置ができると共に食品くず等の落下がなくなり、常に清潔な状態を保持できる。
【００３５】
一方、冷凍室５内の冷気は開閉制御弁５３、５７によって冷気取入口４７から冷気通路ダクト４３を通過した後、冷気戻り口４９から第２の冷却器２７へ戻る循環を繰返す。この時、中仕切り５１により冷却面となる長い冷却通路が確保されることに加えて、冷気通路ダクト４３のダクト面４３ａからの輻射熱によって野菜室７を効率よく冷却するようになる。
【００３６】
図５は冷凍室５と野菜室７を仕切る仕切壁５９からの輻射熱で野菜室７を冷却する第２の実施形態を示したものである。
【００３７】
即ち、仕切壁５９を熱伝導性の材質、例えば、ステンレスや合成樹脂を薄肉で作る一方、仕切壁５９の下面に沿ってその仕切壁５９からの輻射熱を制御するヒータ６１等の輻射熱制御手段６３を設けるものである。
【００３８】
ヒータ６１は図外の制御部によって温度制御されることで、低いヒータ温度から高いヒータ温度に対応した仕切壁５９による輻射熱の制御管理が可能となっている。
【００３９】
なお、他の構成要素は第１の実施形態と同一のため同一符号を符して詳細な説明を省略する。
【００４０】
したがって、この第２の実施形態によれば、第１の実施形態の効果に加えて仕切壁５９にヒータ６１を組合せた簡単な構造にできると共に、ヒータ温度をコントロールすることで野菜室７の庫内温度を容易に目標設定値にすることができる。
【図面の簡単な説明】
【００４１】
【図１】本発明にかかる冷凍冷蔵庫の全体の概要切断説明図。
【図２】仕切壁に設けた冷気通路ダクトを示した概要分解斜視図。
【図３】図２のＡ−Ａ線概要説明図。
【図４】図２のＢ−Ｂ線概要説明図。
【図５】仕切壁の下面に沿ってヒータを設けた第２の実施形態を示した図１と同様の概要切断説明図。
【符号の説明】
【００４２】
３    冷蔵室
５    冷凍室
７    野菜室
１１、５９    仕切壁
２７    冷却器
３５    吹出口
４３    冷気通路ダクト
４３ａ    ダクト面
４７    冷気取入口
４９    冷気戻り口
５３、５７    開閉制御弁
６１    ヒータ
６３    輻射熱制御手段
【図１】
2008025909.tif 000003
【図２】
2008025909.tif 000004
【図３】
2008025909.tif 000005
【図４】
2008025909.tif 000006
【図５】
2008025909.tif 000007